(57)【要約】【課題】スイッチ動作信頼性を損なうことなくセパレータ組み込みスペースの削減化ないし不要化を実現できるスイッチ付きジャックを提供する。【解決手段】スイッチ付きジャック１は、プラグ挿入孔２ａにプラグ２０が挿入されたときそのプラグ２０に電気接続する第１リング接片５の外側に隣接して配置する内側スイッチ接片８及びその内側スイッチ接片８と対をなす外側スイッチ接片９で構成するスイッチ７と、内側スイッチ接片８の自由端部に取り付けて第１リング接片５と内側スイッチ接片８間の絶縁を行うと共に、第１リング接片５の変位により変位させて内側スイッチ接片８を変位させる絶縁材料からなる単一構造のセパレータ１０を設け、そのセパレータ１０の外側スイッチ接片９に対向する外側表面１０ｃに内側スイッチ接片８と導通のある接点部８ｃを設ける。【選択図】図１
2010262848.tif 000002
【特許請求の範囲】
【請求項１】
絶縁材料からなりプラグ挿入孔を有するジャック本体と、そのジャック本体に保持され、前記プラグ挿入孔にプラグが挿入されたときそのプラグに電気接続する複数の可動接片と、前記ジャック本体に保持され、前記複数の可動接片のうち、一つの可動接片のプラグ挿入孔側とは反対側に隣接して配置する一つのスイッチ接片及びその一つのスイッチ接片と対をなす他の一つのスイッチ接片で構成するスイッチと、一つの前記可動接片に隣接して配置する一方のスイッチ接片の自由端部に取り付けて隣接する一つの前記可動接片と一方の前記スイッチ接片間の絶縁を行うと共に、一つの前記可動接片の変位により変位させて一方の前記スイッチ接片を変位させる絶縁材料からなる単一構造のセパレータを設け、そのセパレータの他方のスイッチ接片に対向する表面に一方の前記スイッチ接片と導通のある接点部を設けたことを特徴とするスイッチ付きジャック。
【請求項２】
前記セパレータを取り付ける一方の前記スイッチ接片の接点部をその一方の前記スイッチ接片に一体形成することを特徴とする請求項１に記載のスイッチ付きジャック。
【請求項３】
前記セパレータを取り付ける一方の前記スイッチ接片の接点部をその一方の前記スイッチ接片の自由端部を部分的に切り起こした切り起こし片で形成することを特徴とする請求項１に記載のスイッチ付きジャック。
【請求項４】
前記ジャック本体のプラグ挿入口に近い前側部に植設する補強用の実装端子を設けることを特徴とする請求項１に記載のスイッチ付きジャック。
【発明の詳細な説明】
【技術分野】
【０００１】
本発明は、プラグ挿入孔にプラグが挿入されたときそのプラグに電気接続する複数の可動接片のうち、一つの可動接片の変位を利用して絶縁材料からなるセパレータを変位させて一つのスイッチ接片を変位させ、その一つのスイッチ接片と対をなす他の一つのスイッチ接片に接触させるスイッチを設けたジャックに関する。
【背景技術】
【０００２】
ジャックに設けるスイッチは一対のスイッチ接片で構成され、プラグ挿入孔にプラグが挿入されたとき一方のスイッチ接片を変位させて他方のスイッチ接片に対し接離させることにより切り換わる構造であるが、一対のスイッチ接片はプラグと電気接続する複数の可動接片と独立し、プラグ挿入及び未挿入双方の状態でそれぞれの可動接片から絶縁し、またプラグとも絶縁しておく必要があるため、そのような絶縁を行う合成樹脂等の絶縁材料からなるセパレータが設けられ、特許文献１〜３にはそのようないくつかのセパレータが記載されている。
【０００３】
特許文献１の第１図に記載されているセパレータは、一方のスイッチ接片の自由端部に取り付け、プラグ挿入孔にプラグが挿入されたときそのプラグに摺接して変位することで一方のスイッチ接片を変位させ、その一方のスイッチ接片を他方のスイッチ接片に対して接離させる単一構造のものであるが、プラグとの摺動部である故に削れ損耗を生じ、その削れ損耗による一対のスイッチ接片間の接触圧低下、削れ損耗により生じた損耗粉ないし損耗片により一対のスイッチ接片間及びプラグとそれに電気接続する可動接片間の接触不良等を招く問題がある（特許文献４参照）。
【０００４】
特許文献１の第３図に記載されているセパレータは、絶縁材料からなるジャック本体に一体に形成するもので、ジャック本体のプラグ挿入孔の前側（プラグ挿入口側）又は後側（奥側）から、一方のスイッチ接片の内側（プラグ挿入孔側）に片持ち梁状に延出し、プラグ挿入孔にプラグが挿入されたときそのプラグと一方のスイッチ接片の間に介在させ、プラグ挿入孔にプラグが挿入されたときそのプラグに摺接して変位することで一方のスイッチ接片を変位させ、その一方のスイッチ接片を他方のスイッチ接片に対して接離させるシート状のものであるが、これもまたプラグとの摺動部であるが故に特許文献１の第１図に記載されている単一構造のセパレータと同じ問題を具備する。
【０００５】
特許文献２の第２図、特許文献３の第１図、第３図に記載されているセパレータも、絶縁材料からなるジャック本体に一体に形成するものであるが、ジャック本体のプラグ挿入孔の前側又は後側から、プラグ挿入孔にプラグが挿入されたときそのプラグに電気接続する複数の可動接片のうち、一つの可動接片とその外側（プラグ挿入孔側と反対側）に配置する一方のスイッチ接片の間に片持ち梁状に延出してその間に介在させ、プラグ挿入孔にプラグが挿入されたときその一つの可動接片の変位により変位させることで一方のスイッチ接片を変位させ、その一方のスイッチ接片を他方のスイッチ接片に対して接離させるシート状のものであるため、特許文献１の第１図や第３図に記載されているプラグにより直接変位させるセパレータのような問題を招くことはないものの、ジャック本体に一体に形成するシート状セパレータは耐久性の面で金属製のスイッチ接片やプラグに電気接続する可動接片より劣るが故にジャックの耐久性低下を招くと共に、材料がジャック本体の材料に制限されてシート状セパレータに好適な材料を選択し得ず耐久性向上を図りにくいという問題がある。
【０００６】
特許文献２の第１図に記載されているセパレータは、プラグ挿入孔にプラグが挿入されたときそのプラグに電気接続する複数の可動接片のうち、一つの可動接片の自由端部に取り付け、プラグ挿入孔にプラグが挿入されたときの可動接片の変位により変位させることで一方のスイッチ接片を変位させ、その一方のスイッチ接片を他方のスイッチ接片に対して接離させる単一構造のものであるため、特許文献１の第１図や第３図に記載されているようなプラグにより直接変位させるセパレータや特許文献１の第３図、特許文献２の第２図、特許文献３の第１図、第３図に記載されているようなジャック本体に一体に形成するシート状セパレータのような問題を招くことはない。
【先行技術文献】
【特許文献】
【０００７】
【特許文献１】実開昭６０−４６６７６号公報
【特許文献２】実開昭６０−３９５８４号公報
【特許文献３】実開平３−１０４９７７号公報
【特許文献４】特開２００３−３０３６５０号公報
【発明の概要】
【発明が解決しようとする課題】
【０００８】
上記背景技術の基、セパレータは、特許文献２の第１図に記載されているように、ジャック本体とは別体の単一構造にして、プラグと摺接させないように、プラグ挿入孔にプラグが挿入されたときそのプラグに電気接続する複数の可動接片のうち、一つの可動接片の変位を利用して変位させる必要がある。
【０００９】
しかしながら、特許文献２の第１図に記載されているように、プラグ挿入孔にプラグが挿入されたときそのプラグに電気接続する複数の可動接片のうち、一つの可動接片の自由端部に単一構造のセパレータを取り付けるには、セパレータを取り付ける可動接片の組み込みスペースの前側にさらにセパレータの組み込みスペースを確保し、セパレータを取り付ける可動接片をその山形又は略半円弧形接点部からさらに前側に延長し、セパレータ取り付け部を設ける必要があるが、近年のジャックの小型化及び多機能化の他、プラグによるコジリ対策等によりセパレータの組み込みスペースが減少している。
【００１０】
この種ジャックにはセパレータ組み込みスペースの削減化が求められているが、特許文献２の第１図に記載されているような単一構造のセパレータを設ける従来ジャックでセパレータ組み込みスペースを削減する場合、セパレータ自体を小形にし、セパレータを取り付ける可動接片のセパレータ取り付け部の長さも短くし、セパレータ組み込みに必要なスペースを小さくする方法と、セパレータを取り付ける可動接片の接点部前側の傾斜角度を大きくし、接点位置はそのままでセパレータ組み込みスペースを後側にずらす方法、即ち、セパレータを取り付ける可動接片の組み込みスペースの一部をセパレータ組み込みスペースとして利用する方法が考えられる。
【００１１】
しかしながら、前者ではセパレータ自体の小形化によりセパレータの絶縁信頼性やスイッチの動作信頼性が損われ、セパレータを取り付ける可動接片のセパレータ取り付け部の短縮によりセパレータが固定強度不足で脱落しやすく絶縁機能を消失するおそれがあり（この点は特許文献１の第１図に記載されているようなセパレータを設ける従来ジャックでセパレータ組み込みスペースを削減化する場合の問題でもある。）、後者ではセパレータを取り付ける可動接片の接点前側の傾斜が急傾斜になり、プラグ挿入孔にプラグが挿入するときのプラグ挿入力が大きくなったり、プラグ挿入孔にプラグが挿入されたときそのプラグよってセパレータを取り付ける可動接片が座屈するおそれがあるという問題がある。
【００１２】
そこで、本願発明者らはセパレータ組み込みスペースを削減するに当たって、特許文献２の第１図に記載されている単一構造のセパレータを一方のスイッチ接片の自由端部に取り付けることにより、特許文献２の第１図に記載されている単一構造のセパレータを設ける上記従来ジャックでセパレータ組み込みスペースを削減化するよりも問題は少なく実現しやすいことを見出したが、単一構造のセパレータを一方のスイッチ接片の自由端部に取り付けると、一方のスイッチ接片の接点部がセパレータの後側に配置され、その位置の変位量はセパレータの変位量よりも小さくなるが故に、一対のスイッチ接片間の接点間隙及び接触圧が小さくなり、スイッチの動作信頼性が損なわれるという問題があることを確認した。
【００１３】
したがって、本発明の目的は単一構造のセパレータを一方のスイッチ接片の自由端部に取り付け、スイッチ動作信頼性を損なうことなくセパレータ組み込みスペースの削減化ないし不要化を実現できるスイッチ付きジャックを提供することにある。
【課題を解決するための手段】
【００１４】
上記目的を達成するため請求項１に記載の発明は、絶縁材料からなりプラグ挿入孔を有するジャック本体と、そのジャック本体に保持され、前記プラグ挿入孔にプラグが挿入されたときそのプラグに電気接続する複数の可動接片と、前記ジャック本体に保持され、前記複数の可動接片のうち、一つの可動接片のプラグ挿入孔側とは反対側に隣接して配置する一つのスイッチ接片及びその一つのスイッチ接片と対をなす他の一つのスイッチ接片で構成するスイッチと、一つの前記可動接片に隣接して配置する一方のスイッチ接片の自由端部に取り付けて隣接する一つの前記可動接片と一方の前記スイッチ接片間の絶縁を行うと共に、一つの前記可動接片の変位により変位させて一方の前記スイッチ接片を変位させる絶縁材料からなる単一構造のセパレータを設け、そのセパレータの他方のスイッチ接片に対向する表面に一方の前記スイッチ接片と導通のある接点部を設けたことを特徴とする。
【００１５】
請求項２に記載の発明は、請求項１に記載の発明に、前記セパレータを取り付ける一方の前記スイッチ接片の接点部をその一方の前記スイッチ接片に一体形成する構成を付加したものである。
【００１６】
請求項３に記載の発明は、請求項１に記載の発明に、前記セパレータを取り付ける一方の前記スイッチ接片の接点部をその一方の前記スイッチ接片の自由端部を部分的に切り起こした切り起こし片で形成する構成を付加したものである。
【００１７】
請求項４に記載の発明は、請求項１に記載の発明に、前記ジャック本体のプラグ挿入口に近い前側部に植設する補強用の実装端子を設ける構成を付加したものである。
【発明の効果】
【００１８】
請求項１に記載の発明によれば、セパレータを取り付ける一方のスイッチ接片の接点部をセパレータの他方のスイッチ接片に対向する表面に設けることにより、セパレータを取り付ける一方のスイッチ接片の接点部の変位量がセパレータの変位量と略同等になり、セパレータを一方のスイッチ接片の自由端部に取り付け、スイッチ動作信頼性を損なうことなくセパレータ組み込みスペースの削減化ないし不要化を実現できるスイッチ付きジャックを提供することが可能になる。
【００１９】
またセパレータを十分な固定強度で一方のスイッチ接片の自由端部に取り付けることができ、加えてセパレータが一方のスイッチ接片の自由端部と接点部の間で挟持されるので、セパレータの固定強度向上がさらに図られてスイッチ動作信頼性及び絶縁信頼性をさらに向上することができる。
【００２０】
一方のスイッチ接片の接点部は別部品で設けてもよいが、請求項２に記載の発明のように一方のスイッチ接片に一体形成することにより、一方のスイッチ接片とその接点部との導通を確実に得ることができると共に、ジャックの部品点数及び組み立て工数の増加、それに伴う製造コストの上昇を招くことがない。
【００２１】
一方のスイッチ接片の接点部は請求項３に記載の発明のように一方のスイッチ接片の自由端部を部分的に切り起こした切り起こし片で形成することにより、一方のスイッチ接片の接点部をセパレータの他方のスイッチ接片に対向する表面に容易に設けることができる。
【００２２】
請求項４に記載の発明のようにジャック本体のプラグ挿入口に近い前側部に植設する補強用の実装端子を設けることにより、ジャックの実装強度向上が図られてプラグによるコジリに対する耐性を向上することができる。
【図面の簡単な説明】
【００２３】
【図１】本発明の一実施の形態によるスイッチ付きジャックの内部構造を示すプラグ未挿入状態の断面図である。
【図２】本発明の一実施の形態によるスイッチ付きジャックの内部構造を示すプラグ挿入状態の断面図である。
【図３】本発明の一実施の形態によるスイッチ付きジャックの構成部品を示す分解図である。
【図４】本発明の一実施の形態によるスイッチ付きジャックのセパレータを取り付けるスイッチ接片のセパレータ未装着状態の斜視図である。
【図５】本発明の一実施の形態によるスイッチ付きジャックのセパレータを取り付けるスイッチ接片のセパレータ装着状態の斜視図である。
【図６】本発明の一実施の形態によるスイッチ付きジャックの外観を示す（ａ）正面図、（ｂ）側面図、（ｃ）底面図である。
【発明を実施するための形態】
【００２４】
以下、本発明の一実施の形態を図面に基づいて説明する。
【００２５】
図１〜図３に示すように、スイッチ付きジャック（以下、単に「ジャック」という。）１は、合成樹脂等の絶縁材料からなりプラグ挿入孔２ａを有するジャック本体２と、このジャック本体２に保持され、プラグ挿入孔２ａにプラグ２０が挿入されたときそのプラグ２０に電気接続する複数の可動接片３，４，５，６と、ジャック本体２に保持され、スイッチ７を構成する一対のスイッチ接片８，９と、合成樹脂等の絶縁材料からなる単一構造のセパレータ１０と、ジャック本体２に植設する補強用の実装端子１１とから構成されている。
【００２６】
ジャック本体２は、略直方体状に形成されてプラグ挿入孔２ａを前後方向に形成すると共に、ジャック本体２の前面（正面）から前方に向かって突出する円筒部２ｂを一体に形成し、プラグ挿入孔２ａの前側を円筒部２ｂの内孔であるプラグ挿入口２ｃを通して外部に開口しており、図２に示すように、プラグ２０がジャック本体２の前側からプラグ挿入口２ｃを通してプラグ挿入孔２ａに挿入できるようになっている。
【００２７】
プラグ２０は、先端側に良導電性の金属材料からなるチップ電極２１を有し、根元側に良導電性の金属材料からなるスリーブ電極２２を有すると共に、チップ電極２１とスリーブ電極２２の間に合成樹脂等の絶縁材料からなる３つの絶縁リング２３，２４，２５を介して良導電性の金属材料からなる電極であるリング電極を二つ２６，２７有しており、４極（多極）プラグになっている。
【００２８】
ジャック１は、プラグ２０に対応する４極（多極）ジャックに構成するもので、複数の可動接片３，４，５，６として、プラグ２０のチップ電極２１に電気接続するチップ接片３と、プラグ２０のスリーブ電極２２に電気接続するスリーブ接片４と、プラグ２０のチップ電極２１側の第１リング電極２６に電気接続する第１リング接片５と、プラグ２０のスリーブ電極２２側の第２リング電極２７に電気接続する第２リング接片６を設け、これら各接片３，４，５，６は、それぞれ、良導電性の金属薄板の打ち抜き及び曲げ加工で形成されている。ジャック本体２は、プラグ挿入孔２ａの周側部に各接片３，４，５，６を装着保持する４つの接片収容部２ｄ，２ｅ，２ｆ，２ｇを有している。
【００２９】
チップ接片３は、側縁に抜け止め用の係合部３ａを有する固定部３ｂから折り返し部３ｃを介して固定部３ｂの一表面側に延設する弾性変位可能な片持ち梁状の板バネ片からなり、チップ接片３の自由端部に折り曲げで山形又は半円弧形の接点部３ｄを設けている。チップ接片３をジャック本体２に装着するときは、固定部３ｂをジャック本体２の後方からチップ接片収容部２ｄに圧入しながら、チップ接片３をチップ接片収容部２ｄに挿入する。これにより、チップ接片３はプラグ挿入孔２ａの後側（奥側）の左右一側部（例えば右側部）に装着保持され、接点部３ｄをプラグ挿入孔２ａの後部（奥部）に突出する。
【００３０】
スリーブ接片４は、側縁に抜け止め用の係合部４ａを有する固定部４ｂから延設する弾性変位可能な片持ち梁状の板バネ片からなり、スリーブ接片４の自由端部に折り曲げで山形又は半円弧形の接点部４ｃを設けている。スリーブ接片４をジャック本体２に装着するときは、スリーブ接片４をジャック本体２の後方からスリーブ接片収容部２ｅに挿入しながら、固定部４ｂをスリーブ接片収容部２ｅに圧入する。これにより、スリーブ接片４はプラグ挿入孔２ａの前側にあるプラグ挿入口２ｃの下側部に装着保持され、接点部４ｃをプラグ挿入口２ｃの下部に突出する。
【００３１】
第１リング接片５は、側縁に抜け止め用の係合部５ａを有する固定部５ｂから延設する弾性変位可能な片持ち梁状の板バネ片からなり、第１リング接片５の自由端部に折り曲げで山形又は半円弧形の接点部５ｃを設けている。第１リング接片５をジャック本体２に装着するときは、第１リング接片５をジャック本体２の後方から第１リング接片収容部２ｆに挿入しながら、固定部５ｂを第１リング接片収容部２ｆに圧入する。これにより、第１リング接片５はプラグ挿入孔２ａの後側でチップ接片設置側とは反対側の左右一側部（例えば左側部）に装着保持され、接点部５ｃをプラグ挿入孔２ａの前後中間部に突出する。
【００３２】
第２リング接片６は、側縁に抜け止め用の係合部６ａを有する固定部６ｂから折り返し部６ｃを介して固定部６ｂの一表面側に延設する弾性変位可能な片持ち梁状の板バネ片からなり、第２リング接片６の自由端部にそこから略半球状に張り出す接点部６ｄを設けている。第２リング接片６をジャック本体２に装着するときは、固定部６ｂをジャック本体２の下方から第２リング接片収容部２ｇに圧入しながら、第２リング接片６を第２リング接片収容部２ｇに挿入する。これにより、第２リング接片６はプラグ挿入孔２ａの前側でチップ接片設置側と同じ左右一側部（例えば右側部）に装着保持され、接点部６ｄをプラグ挿入孔２ａの前部に突出する。
【００３３】
スイッチ７を構成する一対のスイッチ接片８，９は、それぞれ、良導電性の金属薄板の打ち抜き及び曲げ加工で形成されている。ジャック本体２は、プラグ挿入孔２ａにプラグ２０が挿入されたときそのプラグ２０に電気接続する複数の可動接片のうちの一つである第１リング接片５を装着保持する第１リング接片収容部２ｆのプラグ挿入孔２ａ側とは反対側の外側（裏側）に各接片スイッチ接片８，９を装着保持する二つの接片収容部２ｈ，２ｉを有している。
【００３４】
一方のスイッチ接片８は、図４，図５にも示すように、側縁に抜け止め用の係合部８ａを有する固定部８ｂから延設する弾性変位可能な片持ち梁状の板バネ片からなり、一方のスイッチ接片８の自由端部にそのスイッチ接片８と導通のある後述する接点部８ｃを設けている。一方のスイッチ接片８をジャック本体２に装着するときは、一方のスイッチ接片８をジャック本体２の後方から第１リング接片収容部２ｆの外側に隣接して配置する内側スイッチ接片収容部２ｈに挿入しながら、固定部８ｂを内側スイッチ接片収容部２ｈに圧入する。これにより、一方のスイッチ接片８は第１リング接片５に外側に隣接して並べられて装着保持され、自由端部を第１リング接片５の接点部５ｃ（自由端部）の外側に配置する。
【００３５】
他方のスイッチ接片９は、側縁に抜け止め用の係合部９ａを有する固定部９ｂから延設する弾性変位可能な片持ち梁状の板バネ片からなり、他方のスイッチ接片９の自由端部にそこから一文字状に張り出す接点部９ｃを設けている。他方のスイッチ接片９をジャック本体２に装着するときは、他方のスイッチ接片９をジャック本体２の後方から内側スイッチ接片収容部２ｈの外側に隣接して配置する外側スイッチ接片収容部２ｉに挿入しながら、固定部９ｂを外側スイッチ接片収容部２ｉに圧入する。これにより、他方のスイッチ接片９は一方のスイッチ接片８の外側に隣接して並べられて装着保持され、自由端部を一方のスイッチ接片８の自由端部の外側に配置する。なお、他方のスイッチ接片９の外側には、第１リング接片５，一方のスイッチ接片８，他方のスイッチ接片９がプラグ２０のコジリにより変形するのを防止するための逃がし空間が設けられている。
【００３６】
第１リング接片５の外側に隣接して配置する一方のスイッチ接片（以下、「内側スイッチ接片」という。）８とその内側スイッチ接片８の外側に隣接して配置する他方のスイッチ接片（以下、「外側スイッチ接片」という。）９は、図１に示すプラグ未挿入状態で互いの接点部８ｃ，９ｃが離間し、図２に示すプラグ挿入状態で両接点部８ｃ，９ｃ同士が接触して導通する常開型のスイッチ７を構成している。
【００３７】
セパレータ１０は、図５にも示すように、略直方体状に形成されて前面から後面に貫通する接片挿入孔１０ａを有している。セパレータ１０の接片挿入孔１０ａの略全長に内側スイッチ接片８の自由端部を圧入し、セパレータ１０を内側スイッチ接片８の自由端部に外嵌して取り付けている。セパレータ１０は内側表面１０ｂの前端部を第１リング接片５を接点部５ｃよりさらに前側に僅かに延長して第１リング接片５の自由端部に形成した短い押圧部５ｄに対向させる。
【００３８】
そして、セパレータ１０を取り付ける内側スイッチ接片８の自由端部に設ける接点部８ｃは、図４，図５にも示すように、セパレータ１０の外側スイッチ接片９の自由端部に対向する外側表面１０ｃに設けている。またその接点部８ｃは内側スイッチ接片８の自由端部に一体形成されている。さらにその接点部８ｃは内側スイッチ接片８の自由端部からＬ形に切り起こした切り起こし片８ｄで形成されている。この切り起こし片８ｄは内側スイッチ接片８の自由端部から外側に向かって略直角に立ち上がる基部片８ｅと、その基部片８ｅから内側スイッチ接片８の自由端部と略平行に前側に向かって延出する端片８ｆを有し、内側スイッチ接片８の自由端部にセパレータ１０を取り付けたときに切り起こし片８ｄの端片８ｆが、セパレータ１０の外側スイッチ接片９の自由端部に対向する外側表面１０ｃに密着状態で位置して内側スイッチ接片８の接点部８ｃになり、またセパレータ１０を内側スイッチ接片８の自由端部とで挟持する。
【００３９】
内側スイッチ接片８はセパレータ１０を自由端部に取り付けた状態でジャック本体２に装着される。
【００４０】
ジャック１は図示しないプリント回路基板に実装するもので、図６にも示すように、ジャック本体２に装着する六つの各接片３，４，５，６，８，９に導通のある六つの外部接続用の実装端子１２、１３、１４、１５、１６、１７を設け、補強用の実装端子１１と合わせて七つの実装端子を設けている。七つの実装端子のうち、六つはジャック本体２の矩形下面（底面）の左右両側部から片側三つずつで外部に突出させると共に、残り一つはジャック本体２の矩形下面の後側から外部に突出させ、ジャック本体２の矩形下面の周側部にバランス良く配置している。
【００４１】
具体的には、プラグ挿入孔２ａの下側に装着されているスリーブ接片４の固定部４ｂか一体に延設してスリーブ接片４と導通のある外部接続用の実装端子１３をジャック本体２の矩形下面の右側後部から外部に突出させ、プラグ挿入孔２ａの後側右側部に装着されているチップ接片３の固定部３ｂから一体に延出してチップ接片３と導通のある外部接続用の実装端子１２をジャック本体２の矩形下面の右側前後中間部から外部に突出させ、プラグ挿入孔２ａの前側右側部に装着されている第２リング接片６の固定部６ｂから一体に延出して第２リング接片６と導通のある外部接続用の実装端子１５をジャック本体２の矩形下面の右側前部から外部に突出させている。
【００４２】
また、プラグ挿入孔２ａの左側部に装着されている第１リング接片５の固定部５ｂから、前側に向かって開口したコ字形に形成してジャック本体１の後側に抜け止め用の上下係合爪２ｊ及び上下係合孔５ｅを介して外嵌固定する嵌合部５ｆを一体に延設し、その嵌合部５ｆから一体に延設して第１リング接片５と導通のある外部接続用の実装端子１４をジャック本体２の矩形下面の後側左右中間部から外部に突出させている。
【００４３】
さらに、プラグ挿入孔２ａの左側部に装着されている内側スイッチ接片８の固定部８ｂから一体に延設して内側スイッチ接片８と導通のある外部接続用の実装端子１６をジャック本体２の矩形下面の左側後部から外部に突出させ、プラグ挿入孔２ａの左側部に装着されている外側スイッチ接片９の固定部９ｂから一体に延設して外側スイッチ接片９と導通のある外部接続用の実装端子１７をジャック本体２の矩形下面の左側前後中間部から外部に突出させている。
【００４４】
補強用の実装端子１１は、ジャック本体２に装着する六つの各接片３，４，５，６，８，９に導通のある六つの外部接続用の実装端子１２、１３、１４、１５、１６、１７が配置されていないジャック本体２の矩形下面の左側前部から外部に突出させるもので、補強用の実装端子１１は金属薄板の打ち抜き及び曲げ加工で形成されて、側縁に抜け止め用の係合部１１ａを有すると共に中央部から抜け止め用の係合片１１ｂを切り起こし形成する固定部１１ｃから一体に延設する延設部からなっている。補強用の実装端子１１をジャック本体２に装着するときは、固定部１１ｃをジャック本体１の下方から第１リング接片５及び一対のスイッチ接片８，９の接片収容部２ｆ及び２ｈ，２ｉの前側にある圧肉部２ｋに形成した端子植設部２ｍに圧入する。これにより、補強用の実装端子１１は固定部１１ｃによってジャック本体１のプラグ挿入口２ｃに近いプラグ挿入孔２ａの前側右側部に植設固定され、ジャック本体２の矩形下面の左側前部から外部に突出する。なお、ジャック本体２の下面には、プリント回路基板に設けられた位置決め孔に嵌合する位置決め突起２ｎが設けられている。
【００４５】
上記のように構成したジャック１はプリント回路基板のエッジ部への実装時には、各外部接続用の実装端子１２、１３、１４、１５、１６、１７がプリント回路基板の対応するランド部に半田付けされ、プリント回路基板に機械的に固定されると共に、プリント回路基板に構成された回路に電気的に接続される。また同時に補強用の実装端子１１がプリント回路基板の対応するランド部（但し回路には電気的に関与しないランド部）に半田付けされ、プリント回路基板に機械的に固定される。
【００４６】
プリント回路基板のエッジ部へ実装されたジャック１は、プリント回路基板が機器に組み込まれたとき、ジャック本体２のプラグ挿入口２ｃが機器筐体に開口されたプラグ挿入口に対応し、機器筐体のプラグ挿入口及びジャック本体２のプラグ挿入口２ｃを通して機器外部からプラグ２０がジャック本体２のプラグ挿入孔２ａに挿入できるようになっている。
【００４７】
機器に装備されたジャック１は、プラグ２０が機器外部から機器筐体のプラグ挿入口及びジャック本体２のプラグ挿入口２ｃを通してジャック本体２のプラグ挿入孔２ａに挿入するとき、スリーブ接片４の接点部４ｃ、第２リング接片６の接点部６ｄ、第１リング接片５の接点部５ｃ、チップ接片３の接点部３ｃがこの順でプラグ２０の先端テーパ面上から外周面上を摺動しながらその外周面上に乗り上げて各接片３，４，５，６が外側に変位する。そして、図２に示すように、プラグ２０がプラグ挿入孔２ａに完全挿入されたとき、チップ接片３の接点部３ｃがプラグ２０のチップ電極２１に、スリーブ接片４の接点部４ｃがプラグ２０のスリーブ電極２２に、第１リング接片５の接点部５ｃがプラグ２０の第１リング電極２６に、第２リング接片６の接点部６ｄがプラグ２０の第２リング電極２７に、それぞれ、押し付けられて接触導通し、プラグ２０の各電極２１，２２，２３，２４がプリント回路基板に構成された回路に電気接続される。これにより、例えば１極をアースとし、左と右のオーディオ信号、映像又は制御信号等の伝送を行えるようになっている。
【００４８】
また、プラグ２０がプラグ挿入孔２ａに挿入されたときの第１リング接片５の外側への変位によって第１リング接片５の自由端部にある押圧部５ｄが内側スイッチ接片８の自由端部に取り付けてあるセパレータ１０の内側表面１０ｂの前端部を外側に押圧する。これにより、図２に示すように、セパレータ１０と一体的に内側スイッチ接片８の自由端部が外側に変位し、セパレータ１０の外側表面１０ｃに設けてある内側スイッチ接片８の接点部８ｃが外側スイッチ接片９の自由端部に設けてある接点部９ｃに押し付けられて突き合い接触して導通し、スイッチ７がオフ（開）からオン（閉）に切り換わり、このスイッチ７動作によりプラグ２０の挿入を検出する。
【００４９】
プラグ挿入孔２ａに挿入されているプラグ２０の抜去時には、図１に示すように、各接片３，４，５，６は、それぞれ、内側に変位して元の初期位置に復帰し、内側スイッチ接片８も第１リング接片５の復帰により内側に変位して元の初期位置に復帰する。これにより、内側スイッチ接片８の接点部８ｃが外側スイッチ接片９の接点部９ｃから離間し、スイッチ７がオン（閉）からオフ（開）に切り換えられる。
【００５０】
以上から明らかなように本実施の形態によるジャック１は、絶縁材料からなりプラグ挿入孔２ａを有するジャック本体２と、そのジャック本体２に保持され、前記プラグ挿入孔２ａにプラグ２０が挿入されたときそのプラグ２０に電気接続するチップ接片３，スリーブ接片４，第１リング接片５，第２リング接片６と、ジャック本体２に保持され、第１リング接片５の外側に隣接して配置する内側スイッチ接片８及びその内側スイッチ接片８と対をなす外側スイッチ接片９で構成するスイッチ７と、内側スイッチ接片８の自由端部に取り付けて第１リング接片５と内側スイッチ接片８間の絶縁を行うと共に、第１リング接片５の変位により変位させて内側スイッチ接片８を変位させる絶縁材料からなる単一構造のセパレータ１０を設け、そのセパレータ１０の外側スイッチ接片９に対向する外側表面１０ｃに内側スイッチ接片８と導通のある接点部８ｃを設けている。
【００５１】
このようにセパレータ１０は、内側スイッチ接片８の自由端部に取り付け、第１リング接片５の変位により変位して内側スイッチ接片８を変位させるため、プラグ２０と摺接しないし、単一構造であるため、前述した特許文献１の第１図や第３図に記載されているようなプラグにより直接変位させるセパレータや特許文献１の第３図、特許文献２の第２図、特許文献３の第１図、第３図に記載されているようなジャック本体に一体に形成するシート状セパレータのような問題を招くことはない。
【００５２】
また、セパレータ１０は、内側スイッチ接片８を自由端部に取り付けるため、第１リング接片５の接片収容部２ｆの前側にセパレータ１０の組み込みスペースを確保する必要がなく、しかもセパレータ１０は、内側スイッチ接片８を前側に延長することなくその自由端部に取り付けることができるため、内側スイッチ接片８の接片収容部２ｈの前側にもセパレータ１０の組み込みスペースを確保する必要もなく、セパレータ組み込みスペースを削減ないし不要にすることができると共に、セパレータ組み込みスペースを削減ないし不要にするに当たって、前述した特許文献２の第１図に記載されているような単一構造のセパレータを設ける従来ジャックでセパレータ組み込みスペースを削減するときの問題を招くこともない。
【００５３】
そして、セパレータ１０を内側スイッチ接片８を自由端部に取り付けるに当たって、内側スイッチ接片８の接点部８ｃをセパレータ１０の後側に配置すると、その位置の変位量はセパレータ１０の変位量よりも小さくなるが故に、一対のスイッチ接片８，９間の接点間隙及び接触圧が小さくなり、スイッチ７の動作信頼性が損なわれるという問題があるが、セパレータ１０の外側スイッチ接片９に対向する外側表面１０ｃに内側スイッチ接片８と導通のある接点部８ｃを設けるため、セパレータ１０を取り付ける内側スイッチ接片８の接点部８ｃの変位量がセパレータ１０の変位量と略同等になり、そのような問題も回避することができる。
【００５４】
したがって、セパレータ１０を内側スイッチ接片８の自由端部に取り付け、スイッチ７の動作信頼性を損なうことなくセパレータ組み込みスペースの削減化ないし不要化を実現できるスイッチ付きジャックを提供することが可能になる。
【００５５】
また、セパレータ１０を十分な固定強度で内側スイッチ接片８の自由端部に取り付けることができ、加えてセパレータ１０が内側スイッチ接片８の自由端部と接点部８ｃの間で挟持されるので、セパレータ１０の固定強度向上がさらに図られてスイッチ７の動作信頼性及び絶縁信頼性をさらに向上することができる。
【００５６】
内側スイッチ接片８の接点部８ｃは別部品で設けてもよいが、本実施の形態によるジャック１は、セパレータ１０を取り付ける内側スイッチ接片８の接点部８ｃをその内側スイッチ接片８に一体形成するため、内側スイッチ接片８とその接点部８ｃとの導通を確実に得ることができると共に、ジャック１の部品点数及び組み立て工数の増加、それに伴う製造コストの上昇を招くことがない。
【００５７】
また、本実施の形態によるジャック１は、内側スイッチ接片８の接点部８ｃをその内側スイッチ接片８の自由端部を部分的に切り起こした切り起こし片８ｄで形成することにより、内側スイッチ接片８の接点部８ｃをセパレータ１０の外側スイッチ接片９に対向する外側表面１０ｃに容易に設けることができる。
【００５８】
また、本実施の形態によるジャック１は、ジャック本体２のプラグ挿入口２ｃに近い前側部に植設する補強用の実装端子１１を設けることにより、ジャック１の実装強度向上が図られてプラグ２０によるコジリに対する耐性を向上することができると共に、ジャック本体２のプラグ挿入口２ｃに近い前側部に植設する補強用の実装端子１１を設けても、セパレータ１０を内側スイッチ接片８の自由端部に取り付けることができ、スイッチ７の動作信頼性を損なうことなくセパレータ組み込みスペースの削減化ないし不要化を実現することができる。
【００５９】
なお、本実施の形態によるジャック１では、第１リング接片５を接点部５ｃよりさらに前側に延長し、第１リング接片５の自由端部にセパレータ１０を押圧するための押圧部５ｄを形成したが、この押圧部５ｄは非常に短いものでセパレータ１０を安定的に押圧することができ、また押圧部５ｄを形成しなくても第１リング接片５の接点部５ｃの前側傾斜部の先端でセパレータ１０を安定的に押圧することができるので、押圧部５ｄがセパレータ組み込みスペースの削減化ないし不要化の実現に影響を及ぼすことはない。
【００６０】
本実施の形態によるジャック１は、ジャック本体２の下面と略面一な平面上でジャック本体２から外部に突出する表面実装用の実装端子１１〜１７を設けたが、その表面実装用の実装端子１１〜１７に代えてジャック本体２の下面から下向きに突出させてプリント回路基板のスルーホールに挿入させる挿入実装用の実装端子（但し補強用の実装端子は回路には電気的に関与しない単なる孔に挿入する）を設けてもよい。
【００６１】
また、本実施の形態は４極ジャックで本発明を説明したが、２極，３極のジャック又は５極，６極のジャックでもよく、本発明は本実施の形態に限定されることなく、その要旨を逸脱しない範囲内で種々変形実施することができる。
【符号の説明】
【００６２】
１  ジャック（スイッチ付きジャック）
２  ジャック本体
２ａ  プラグ挿入孔
３  チップ接片
４  スリーブ接片
５  第１リング接片
６  第２リング接片
７  スイッチ
８  内側スイッチ接片
８ｃ  接点部
８ｄ  切り起こし片
９  外側スイッチ接片
１０  セパレータ
１０ｃ  外側表面
１１  補強用の実装端子
２０  プラグ
【図１】
2010262848.tif 000003
【図２】
2010262848.tif 000004
【図３】
2010262848.tif 000005
【図４】
2010262848.tif 000006
【図５】
2010262848.tif 000007
【図６】
2010262848.tif 000008